(57)【要約】【課題】精神疾患患者を必要に応じて拘束しながらも、肺塞栓の発症を予防することができる精神疾患患者治療用ベッドを提供することである。【解決手段】患者の足を心臓よりも高くした姿勢を保つようにベッドの足側を持ち上げる手段と、患者の足に振動を伝える振動装置と、患者のひざの裏の少し下辺りに当接する第１のローラおよびアキレス腱の少し上辺りに当接する第２のローラとを備え、第１および第２のローラを末梢から心臓に向けて回転させることを特徴とする。【選択図】図４
2008093187.tif 000002
【特許請求の範囲】
【請求項１】
精神疾患患者を横たわらせて拘束する精神疾患患者治療用ベッドにおいて、
前記患者の足を心臓よりも高くした姿勢を保つように前記ベッドの足側を持ち上げる手段を設けたことを特徴とする精神疾患患者治療用ベッド。
【請求項２】
精神疾患患者を横たわらせて拘束する精神疾患患者治療用ベッドにおいて、
前記患者の足に振動を伝える振動装置を備えたことを特徴とする精神疾患患者治療用ベッド。
【請求項３】
精神疾患患者を横たわらせて拘束する精神疾患患者治療用ベッドにおいて、
前記患者の足に当接するローラを備えたことを特徴とする精神疾患患者治療用ベッド。
【請求項４】
前記ローラは前記患者のひざの裏の少し下辺りに当接する第１のローラとアキレス腱の少し上辺りに当接する第２のローラとからなることを特徴とする請求項３に記載の精神疾患患者治療用ベッド。
【請求項５】
前記第１および第２のローラを末梢から心臓に向けて回転させることを特徴とする請求項３又は請求項４に記載の精神疾患患者治療用ベッド。
【請求項６】
精神疾患患者を横たわらせて拘束する精神疾患患者治療用ベッドにおいて、
前記患者の足を心臓よりも高くした姿勢を保つように前記ベッドの足側を持ち上げる手段と、前記患者の足に振動を伝える振動装置と、前記患者のひざの裏の少し下辺りに当接する第１のローラおよびアキレス腱の少し上辺りに当接する第２のローラとを備え、前記第１および第２のローラを末梢から心臓に向けて回転させることを特徴とする精神疾患患者治療用ベッド。
【発明の詳細な説明】
【技術分野】
【０００１】
本発明は、精神疾患患者本人および医療従事者双方の安全を確保しつつ、患者に密接した医療・看護を提供するための精神疾患患者治療用ベッドに関する。
【背景技術】
【０００２】
精神疾患患者は、病状により、自殺企図、自傷行為、暴力行為、器物破損などの行為に及ぶことがあり、患者本人および医療従事者双方が危険な状態におかれる場合がある。
【０００３】
このため、患者の人権を尊重しながら、病状に応じて、患者の行動制限が必要とされる場合がある。たとえば特許文献１に記載の精神疾患患者治療用個室システムでは、四方を囲い壁で囲った内部空間を居住室とトイレ室や洗面室に区分けし、その区分個所の所定ドアを施錠したり、開錠することにより、治療段階に応じた行動制限を行い、水中毒や器物破損などの危険性を排除し、患者の快適性を高めた治療を行えるようにしている。
【０００４】
【特許文献１】特開２００２−１８０６８５号公報
【発明の開示】
【発明が解決しようとする課題】
【０００５】
ところで、特許文献１に記載のように、従来、精神疾患患者に対する行動制限の必要性があることは知られているが、たとえば重度の患者の場合は自殺企図のおそれもあるため、さらに拘束用ベッドに拘束帯（抑制帯）などによって拘束しておく必要もある。
【０００６】
ところが最近では、長時間に渡る拘束により深部静脈血栓の肺塞栓を発症する危険性があることが知られてきた。この病態は、一般には「エコノミークラス症候群」という呼び名で知られている。
【０００７】
このため、患者を必要に応じて拘束用ベッドに拘束する必要があるものの、場合によっては、この拘束により患者が肺塞栓を発症してしまうおそれがあるという問題があった。
【０００８】
本発明は、この問題を解消し、精神疾患患者を必要に応じて拘束しながらも、肺塞栓の発症を予防することができる精神疾患患者治療用ベッドを提供することを目的とする。
【課題を解決するための手段】
【０００９】
本発明は上記の目的を達成すべく、精神疾患患者を横たわらせて拘束する精神疾患患者治療用ベッドにおいて、前記患者の足を心臓よりも高くした姿勢を保つように前記ベッドの足側を持ち上げる手段を設けたことを特徴とする。
【００１０】
また本発明は、精神疾患患者を横たわらせて拘束する精神疾患患者治療用ベッドにおいて、前記患者の足に振動を伝える振動装置を備えたことを特徴とする。
【００１１】
また本発明は、精神疾患患者を横たわらせて拘束する精神疾患患者治療用ベッドにおいて、前記患者の足に当接するローラを備えたことを特徴とする。
【００１２】
また本発明は、精神疾患患者を横たわらせて拘束する精神疾患患者治療用ベッドにおいて、前記患者のひざの裏の少し下辺りに当接する第１のローラおよびアキレス腱の少し上辺りに当接する第２のローラを備えたことを特徴とする。
【００１３】
また本発明は、請求項４に記載の発明において、前記第１および第２のローラを末梢から心臓に向けて回転させることを特徴とする。
【００１４】
また本発明は、精神疾患患者を横たわらせて拘束する精神疾患患者治療用ベッドにおいて、前記患者のひざの裏の少し下辺りに当接する第１のローラおよびアキレス腱の少し上辺りに当接する第２のローラを備え、前記第１および第２のローラを末梢から心臓に向けて回転させることを特徴とする。
【発明の効果】
【００１５】
本発明によれば、精神疾患患者を必要に応じて拘束しながらも、肺塞栓の発症を予防することができる精神疾患患者治療用ベッドを提供することができる。
【００１６】
すなわち、本発明によれば、患者の足を心臓よりも高くした姿勢を保つことができ、これにより静脈うっ血を予防することができる。
【００１７】
また、本発明によれば、振動装置によって患者の足に振動を伝え、これにより静脈うっ血を予防することができる。
【００１８】
また、本発明によれば、患者のひざの裏の少し下辺りやアキレス腱の少し上辺りに当接するローラを末梢から心臓に向けて回転させることによって、静脈うっ血を予防することができる。
【発明を実施するための最良の形態】
【００１９】
以下、本発明の実施の形態について図面を参照して詳細に説明する。
【実施例１】
【００２０】
図１は、本発明による精神疾患患者治療用ベッドの一実施の形態を示す斜視図である。
【００２１】
図１に示すように、本実施の形態の精神疾患患者治療用ベッド１は、医療従事者などの操作者が操作する操作部２と、患者が横たわるベッド本体部３と、操作部２から入力された操作、指示をベッド本体部３に伝達するケーブル４とを有して構成される。
【００２２】
なお、本実施の形態では、操作部２をベッド本体部３と別体にしたが、本発明はこれに限られず、操作部２とベッド本体部３とを一体化してもよいし、別体であってもケーブル４を設けず、操作部２を携帯用の操作部に形成し、該操作部とベッド本体部３とが電波や赤外線などによって無線通信するようにしてもよい。
【００２３】
また、操作部２は、ベッド本体部３と離れた位置に設けるようにしてもよく、たとえば、ベッド本体部３を備えた部屋の外に操作部２を設けてもよい。また、操作部２は、ベッド本体部３を備えた部屋の外の壁に埋め込む形式にしてもよい。
【００２４】
ベッド本体部３は、患者の上半身を載せる上部ベッド３ａと下半身を載せる下部ベッド３ｂとから成り、この上部ベッド３ａと下部ベッド３ｂとはヒンジ部３ｃにおいて接続され、このヒンジ部３ｃを軸にして、上部ベッド３ａと下部ベッド３ｂとの角度を変えることができるように構成されている。また、ベッド本体部３は、脚部５、６、７によって支えられている。
【００２５】
ベッド本体部３の側面には、必要に応じて患者を固定するためのベルト９ａ、１０ａ、１１ａ、１１ｂ、１３ａ、１４ａが設けられている。ベルト９ａ、１０ａ、１１ａ、１１ｂ、１３ａ、１４ａはマジックテープ（登録商標）で止めることができるようになっており、ベッド本体部３に横たわった患者は、ベルト９ａを右手首に巻き付けられて右手首を固定され、ベルト１０ａを左手首に巻き付けられて左手首を固定され、ベルト１１ａと１１ｂとによって腰回りを固定され、ベルト１３ａを右足首に巻き付けられて右足首を固定され、ベルト１４ａを左足首に巻き付けられて左足首を固定される。
【００２６】
ベッド本体部３の上面には、ローラ１５および１６が設けられている。ローラ１５は、ベッド本体部３に横たわった患者のひざの裏の少し下辺りに当接するような位置に設けられ、ローラ１６は、ベッド本体部３に横たわった患者のアキレス腱の少し上辺りに当接するような位置に設けられている。このローラ１５やローラ１６の位置は、患者の体型に合わせて調節できるようにしてもよい。
【００２７】
このローラ１５、１６としては角に丸みをつけた六角棒を用いており、ローラ１５は軸受１５ａおよび１５ｂに支承され、第１のローラ駆動装置１５ｃによって図中の矢印方向に回転させられる。またローラ１６は軸受１６ａおよび１６ｂに支承され、第２のローラ駆動装置１６ｃによって図中の矢印方向に回転させられる。第１のローラ駆動装置１５ｃ、第２のローラ駆動装置１６ｃは、ローラ１５、１６を回転させる駆動源のモータや動力伝達のギヤ等を有する。
【００２８】
本実施の形態では、ローラ１５、１６として六角棒を用いたが、本発明はこれに限られるものではなく、いかなる断面形状のものをも用いることができることは言うまでもない。
【００２９】
ベッド本体部３の下部ベッド３ｂ側を支える脚部７にはジャッキ装置７ｂが設けられており、このジャッキ装置７ｂによって、ヒンジ部３ｃを軸にして下部ベッド３ｂの足先側を持ち上げることができる。
【００３０】
図２は図１に示したベッド本体部３の側面図である。
【００３１】
図２に示すように、下部ベッド３ｂの下側には振動装置２０が設けられている。この振動装置２０は、たとえば偏心錘をモータで回転させて振動（バイブレーション）を発生させるものであってもよいし、他のいかなる原理で振動を発生させるものであってもよい。
【００３２】
脚部５、６、７は緩衝材５ａ、６ａ、７ａを介してベッド本体部３を支えており、この緩衝材５ａ、６ａ、７ａによれば、振動装置２０による振動の影響が外部（床）に及ぶのを防ぐことができる。また、ヒンジ部３ｃにも緩衝材を設けてもよく、ヒンジ部３ｃの緩衝材によれば、振動装置２０による振動が、患者の上半身側の上部ベッド３ａに及ぶのを防ぐことができる。
【００３３】
図３は、図１に示した精神疾患患者治療用ベッド１の斜視図であり、ジャッキ装置７ｂによって下部ベッド３ｂの足先側を持ち上げた状態を示す図である。
【００３４】
なお、図３においては下部ベッド３ｂの足先側を持ち上げる前の状態を二点鎖線で示している。
【００３５】
本実施の形態の精神疾患患者治療用ベッド１によれば、図３に示すようにして患者の足先を心臓よりも高くした姿勢を維持することができる。
【００３６】
図４は、図３に示した精神疾患患者治療用ベッド１に患者が横たわった状態を示す斜視図である。
【００３７】
上述の発明が解決しようとする課題の欄で説明したように、従来は、患者を拘束した場合、肺塞栓を発症するおそれがあるという問題があったが、本実施の形態の精神疾患患者治療用ベッド１によれば、図４に示すように、患者の足を心臓よりも高くした姿勢を保つことができ、これにより静脈うっ血を予防することができる。
【００３８】
また、本実施の形態の精神疾患患者治療用ベッド１によれば、振動装置２０によって下部ベッド３ｂを振動させ、患者の足に振動を伝え、これにより静脈うっ血を予防することができる。
【００３９】
また、本実施の形態の精神疾患患者治療用ベッド１によれば、ローラ１５、１６を回転させることによって、患者の足に対して末梢から心臓に向けたマッサージを行うことができ、これにより静脈うっ血を予防することができる。
【００４０】
図５は、図１に示した精神疾患患者治療用ベッド１の制御に係る構成を示すブロック図である。
【００４１】
図５に示すように、本実施の形態の精神疾患患者治療用ベッド１は、操作部２とベッド本体部３とをケーブル４で接続して構成される。
【００４２】
操作部２は、操作者が操作する操作パネル２ａと、操作パネル２ａによって入力された操作、指示に基づいてベッド本体部３の動作を制御するたとえばＣＰＵである制御部２ｂとを有して構成される。
【００４３】
ベッド本体部３は、ローラ１５を回転させる第１のローラ駆動装置１５ｃと、ローラ１６を回転させる第２のローラ駆動装置１６ｃと、下部ベッド３ｂを振動させる振動装置２０と、下部ベッド３ｂの足先側を持ち上げるジャッキ装置７ｂとを有して構成される。
【００４４】
第１のローラ駆動装置１５ｃ、第２のローラ駆動装置１６ｃ、振動装置２０およびジャッキ装置７ｂは、ケーブル４を介して制御部２ｂからの動作指示を受けて動作する。
【００４５】
図６は、図５に示した操作パネル２ａの表示画面の一例を示す図である。
【００４６】
図６に示す操作パネル２ａでは、第１のローラ駆動装置１５ｃによるローラ１５の回転のＯＮ／ＯＦＦおよび回転速度の調節、第２のローラ駆動装置１６ｃによるローラ１６の回転のＯＮ／ＯＦＦおよび回転速度の調節、ジャッキ装置７ｂによる下部ベッド３ｂの足先側を上げる角度の調節、および、振動装置２０による下部ベッド３ｂの振動のＯＮ／ＯＦＦおよびその強度の調節を、それぞれごとに、操作者が入力可能に構成してある。制御部２は、この操作パネル２ａによって入力された操作、指示に基づいてベッド本体部３の動作を制御する。
【００４７】
なお、このほかにも、第１のローラ駆動装置１５ｃ、第２のローラ駆動装置１６ｃ、ジャッキ装置７ｂ、振動装置２０の各動作を任意に組み合わせたり、それぞれ所定のタイミングで間欠動作させたり、ローラ１５の回転速度、ローラ１６の回転速度、下部ベッド３ｂの角度、下部ベッド３ｂの振動の強度を任意に変化させたり、これらを組み合わせて予め動作をプログラミングしてこれに基づいて動作させることもできる。
【００４８】
次に、本発明による精神疾患患者治療用ベッドの、図１とは別の実施の形態について説明する。
【００４９】
図７は、本発明による精神疾患患者治療用ベッドの、図１とは別の実施の形態を示す斜視図であり、患者が横たわった状態を示す図である。
【００５０】
図７に示す実施の形態では、図１の実施の形態における下部ベッド３ｂに相当する部分が、患者のひざに合わせ、ヒンジ部１０３ｅで屈曲可能にしてある。
【００５１】
すなわち、本実施の形態の精神疾患患者治療用ベッド１００は、医療従事者などの操作者が操作する操作部２と、患者が横たわるベッド本体部１０３と、操作部２から入力された操作、指示をベッド本体部１０３に伝達するケーブル４とを有して構成される。
【００５２】
ベッド本体部１０３は、患者の上半身を載せる上部ベッド１０３ａと、太腿部分を載せる中部ベッド１０３ｄと、ひざから先を載せる下部ベッド１０３ｂとから成る。上部ベッド１０３ａと中部ベッド１０３ｄとはヒンジ部１０３ｃにおいて接続され、このヒンジ部１０３ｃを軸にして、上部ベッド１０３ａと中部ベッド１０３ｄとの角度を変えることができるように構成されている。また、中部ベッド１０３ｄと下部ベッド１０３ｂとはヒンジ部１０３ｅにおいて接続され、このヒンジ部１０３ｅを軸にして、中部ベッド１０３ｄと下部ベッド１０３ｂとの角度を変えることができるように構成されている。また、ベッド本体部１０３は、脚部５、６、７、１７によって支えられている。
【００５３】
ベッド本体部１０３の側面の各ベルトや上面の各ローラの構成は、図１に示した実施の形態と同様であるので、同じ参照番号を付し、詳しい説明は省略する。
【００５４】
ベッド本体部１０３の下部ベッド１０３ｂ側を支える脚部７にはジャッキ装置７ｂが設けられ、脚部１７にはジャッキ装置１７ｂが設けられている。このジャッキ装置７ｂおよび１７ｂによれば、図７に示すように、患者のひざから先を水平にした状態で、下部ベッド１０３ｂを上部ベッド１０３ａよりも高い位置に持ち上げることができる。
【００５５】
本実施の形態においても、第１のローラ駆動装置１５ｃ、第２のローラ駆動装置１６ｃ、ジャッキ装置７ｂ、ジャッキ装置１７ｂ、振動装置２０の各動作を任意に組み合わせたり、それぞれ所定のタイミングで間欠動作させたり、ローラ１５の回転速度、ローラ１６の回転速度、下部ベッド１０３ｂの高さ、下部ベッド１０３ｂの振動の強度を任意に変化させたり、これらを組み合わせて予め動作をプログラミングしてこれに基づいて動作させることもできる。
【００５６】
本実施の形態の精神疾患患者治療用ベッド１００によれば、このように構成することによって、患者のつま先の方への血の巡りを改善することができる。
【００５７】
なお、上述の実施の形態では、ベッドの脚部に設けたジャッキ装置によって患者の足側を持ち上げるようにしたが、本発明はこれに限られるものではなく、ヒンジ部３ｃ、１０３ｃ、１０３ｅに回転駆動機構を設け、これによって上部ベッド３ａと下部ベッド３ｂとの角度を調節したり、上部ベッド１０３ａと中部ベッド１０３ｄとの角度、および中部ベッド１０３ｄと下部ベッド１０３ｂとの角度を調節するようにしてもよい。
【図面の簡単な説明】
【００５８】
【図１】本発明による精神疾患患者治療用ベッドの一実施の形態を示す斜視図である。
【図２】図１に示したベッド本体部３の側面図である。
【図３】図１に示した精神疾患患者治療用ベッド１の斜視図であり、ジャッキ装置７ｂによって下部ベッド３ｂの足先側を持ち上げた状態を示す図である。
【図４】図３に示した精神疾患患者治療用ベッド１に患者が横たわった状態を示す斜視図である。
【図５】図１に示した精神疾患患者治療用ベッド１の制御に係る構成を示すブロック図である。
【図６】図５に示した操作パネル２ａの表示画面の一例を示す図である。
【図７】本発明による精神疾患患者治療用ベッドの、図１とは別の実施の形態を示す斜視図であり、患者が横たわった状態を示す図である。
【符号の説明】
【００５９】
１                                            精神疾患患者治療用ベッド
２                                            操作部
３                                            ベッド本体部
３ａ                                          上部ベッド
３ｂ                                          下部ベッド
３ｃ                                          ヒンジ部
４                                            ケーブル
５、６、７                                    脚部
７ｂ                                          ジャッキ装置
９ａ、１０ａ、１１ａ、１１ｂ、１３ａ、１４ａ  ベルト
１５、１６                                    ローラ
１５ａ、１５ｂ、１６ａ、１６ｂ                軸受
１５ｃ                                        第１のローラ駆動装置
１６ｃ                                        第２のローラ駆動装置
２０                                          振動装置
【図１】
2008093187.tif 000003
【図２】
2008093187.tif 000004
【図３】
2008093187.tif 000005
【図４】
2008093187.tif 000006
【図５】
2008093187.tif 000007
【図６】
2008093187.tif 000008
【図７】
2008093187.tif 000009